(57)【要約】【課題】  自動車内装品における基材の表面を覆っている表皮を、容易、且つ低コスト、さらにその表皮の材質を問わずに保持できる、剥がれ防止構造を提供する。【解決手段】  相手材における、表皮１２の端部１３で表皮１２と面する位置に突部２２を設け、次に、基材１１の前記突部２２に対向する位置に凹部１６を設ける。その際、前記凹部１６は前記突部２２が収容されるように形成される。そして、凹部１６をまたぐように設けられた表皮１２を前記突部２２で引っかける。【選択図】  図２
2006123622.tif 000002
【特許請求の範囲】
【請求項１】
基材の外周を表皮で覆った表皮付材に相手材を取付けてなる自動車内装品の表皮剥がれ防止構造であって、
前記相手材に前記表皮の端部で表皮と面する位置に少なくとも一つ設けられた突部と、
前記基材の前記突部に対向する位置に設けられ、前記突部が収容される凹部とを備え、
この凹部をまたぐように設けられた表皮が前記突部で引っかけられた状態となっていることを特徴とする表皮剥がれ防止構造。
【請求項２】
前記表皮が前記基材の外周に接合されている請求項１記載の表皮剥がれ防止構造。
【請求項３】
前記突部の先端が鋭角である請求項１又は２記載の表皮剥がれ防止構造。
【請求項４】
前記突部の先端がＲ付けされている請求項１又は２記載の表皮剥がれ防止構造。
【発明の詳細な説明】
【技術分野】
【０００１】
本発明は、基材の外周を表皮で覆った自動車内装品において、表皮付材に相手材を取付けた後の表皮剥がれ防止構造に関するものである。
【背景技術】
【０００２】
自動車内装品であるアームレストや、ダッシュボード、コンソールボックスの蓋などには、成形型を用いてポリプロピレン樹脂やＡＢＳ樹脂などの合成樹脂材よりなる基材層と、塩化ビニルや合成皮革などの表皮層とを一体成形して製造された表皮付材を用いるものが多く見られる。表皮層は、主として、利用者に対してソフトな触感を提供したり、高級感を演出するなどの機能を有する。しかし、表皮層端部が適切に処理されないと、表皮の部分的、或いは全体に亘って、皺、弛み、ずれ、又は剥がれなどが生じることになる。これらの問題に対して、従来までに様々な表皮剥がれ防止構造が考案されてきた。
【０００３】
自動車内装品におけるこの種の表皮剥がれ防止構造として、基材の端部を、前記基材に接合された表皮と共に折り返すことで表皮剥がれを抑制する構造（特許文献１参照）や、基材、表皮、及び相手材を、位置決めピン及びそれに対応した孔を用いて固定することにより、表皮のずれや剥がれを防止する技術（特許文献２参照）が挙げられる。
【０００４】
特許文献１は、基材の外周に接合された表皮の剥がれを防止する端末処理の一例を示している。この剥がれ防止構造は、表皮が接合された基材と、その基材の端縁であって、その厚みが薄くなっている薄肉部と、から形成される。脱型後、前記薄肉部は、その表面に表皮が接合されたままの状態で、部分的に加熱され、裏面である基材側へ折り返され、対向する基材面同士が改めて融着される。これにより、接着剤やタッカー（ホッチキス）などを用いることなく、短時間で、且つ安価に端末処理を行うことが可能とされている。
【０００５】
他方、特許文献２は、基材の外周に接合された表皮を、位置決め用のピン及びそれに対応する孔を用いて、皺や弛みが生じないようにした構造の一例を示している。この例によれば、基材及び前記基材表面に融着された表皮に位置決め用の孔が設けられ、一方、これらに対して表皮側から接するカップホルダなどの相手材には、前記位置決め用孔に対応した位置に位置決めピンが設けられている。そして、前記孔に前記ピンが嵌挿されることで、前記基材と前記相手材に挟まれた表皮の皺や弛み、又は剥がれを防止できるとされている。
【特許文献１】特開２００３−２００４８９号広報
【特許文献２】特開２０００−２３８５６８号広報
【発明の開示】
【発明が解決しようとする課題】
【０００６】
しかしながら、特許文献１の構成では、基材と表皮とを熱融着により一体成形し、脱型後、前記薄肉部を再度加熱して折り曲げ、対向する基材層同士を融着させる工程を要し、且つ、前記表皮の端部が基材に対して融着一体化されているだけにとどまり、利用形態によっては前記表皮の端部から、剥がれが生じる恐れを有している。
【０００７】
一方、特許文献２の構成では、表皮の皺、及び弛みを防止するために、位置決め用の孔が設けられ、前記孔に嵌挿された前記ピンで表皮を保持しいている。このため、前記表皮に対して局所的な負担を強いることとなり、前記表皮の材質によっては、この構成が破れの原因となる恐れを有する。
【０００８】
従って、本発明は、加工手順を簡略化することで生産性を高め、且つ幅広い材質からなる表皮に対応することができ、且つ表皮に亀裂の原因となる孔を設ける必要がなく、さらに表皮端部を確実に保持することのできる、自動車内装品の表皮剥がれ防止構造を提供しようとするものである。
【課題を解決するための手段】
【０００９】
上記課題を解決するために、第１の発明は、基材の外周を表皮で覆った表皮付材に相手材を取付けてなる自動車内装品の表皮剥がれ防止構造であって、
前記相手材に前記表皮の端部で表皮と面する位置に少なくとも一つ設けられた突部と、
前記基材の前記突部に対向する位置に設けられた前記突部が収容される凹部とを備え、この凹部をまたぐように設けられた表皮が前記突部で引っかけられた状態となっているという特徴を有する。
【００１０】
これにより、前記表皮が前記突部に引っかけられた状態となることで、前記表皮と前記相手材との間の摩擦力が向上し、従って前記表皮の剥がれが抑制されている。
【００１１】
第２の発明は、第１発明記載の表皮剥がれ防止構造であって、前記表皮が前記基材の外周に接合されているという特徴を有する。
これにより、前記表皮と前記基材との間に新たに接合力が発生する。
【００１２】
第３の発明は、第１又は第２発明記載の表皮剥がれ防止構造であって、前記突部の先端が鋭角であるという特徴を有する。
これにより、前記表皮がクロスなどの厚手の生地である場合に、より確実に前記表皮の剥がれは抑制されている。
【００１３】
第４の発明は、第１又は第２発明記載の表皮剥がれ防止構造であって、前記突部の先端がＲ付けされているという特徴を有する。
これにより、前記表皮が塩化ビニル樹脂など破れやすい素材の場合にも、前記表皮を損傷することなく、前記表皮の剥がれは抑制されている。
【発明の効果】
【００１４】
以上説明したように、自動車内装品における本発明の表皮剥がれ防止構造は、表皮で覆われた基材と、前記基材に前記表皮を介して接する相手材とに、それぞれ対応した凹部と、前記凹部に収容される突部を設けたことで、前記表皮をひっかけるように保持する構成とされる。従って、ピンや孔を設けたり、再加熱処理を施すような工程を必要とせず、射出成形時に前記突部や前記凹部を同時に成形することで、加工手順を簡略化することができ、それにより生産性が向上する。又、前記表皮が前記基材に接合されることにより、前記表皮と前記基材との間に接合力が生まれ、したがって、より確実に表皮剥がれを抑制することができる。又、突部や凹部の大きさや形状に自由度があり、又亀裂の原因となり得る孔などを設ける必要がないため、厚手の表皮から、破れやすい表皮に至るまで幅広い材質からなる表皮に対応することができる。
【発明を実施するための最良の形態】
【００１５】
以下、図面を参照しつつ、本発明に係る自動車内装品の表皮剥がれ防止構造の実施形態例について説明する。
【００１６】
ここでは、自動車内装品として、センターコンソールを取り上げ、そのセンターコンソールに適用される表皮剥がれ防止構造を説明する。
【００１７】
図１は、本実施例におけるセンターコンソール１の配置状態を示す斜視図である。前記センターコンソール１は、主として、表皮付材である上コンソール２と、その相手材である下コンソール３、及び同じく相手材であるカップホルダ４とで構成される。図１からわかる通り、前記センターコンソール１は車両室内における運転席と助手席との間に配設されている。
図２は、図１における前記上コンソール２と、前記下コンソール３との取付状態を示す断面図であり、一方、図３は、図１における前記上コンソール２と、前記カップホルダ４との取付状態を示す断面図である。
【００１８】
まず、前記上コンソール２の前記下コンソール３への取付けに関して、図２及び図４に基づいて説明する。ここで、図４は、前記下コンソール３の外周壁部の斜視図である。
図２に示すように、前記上コンソール２は、硬質材である基材１１と、前記基材１１に接合される表皮１２とを備えている。前記基材１１は、ポリプロピレン樹脂やＡＢＳ樹脂のような合成樹脂などの硬質材であり、射出成形により成形され、所定の剛性が確保されている。
【００１９】
一方、前記表皮１２は、用途により任意に選定されるものとされ、塩化ビニルや厚手の生地などの様々な材質が前記表皮１２として用いられており、利用者に対してソフトな触感を提供したり、外観上で高級感を演出する目的を有している。前記表皮１２は、前記基材１１が射出成形により成形された後に、接着剤などを用いて前記基材１１の外周面に接合される。
【００２０】
前記下コンソール３は、ポリプロピレン樹脂やＡＢＳ樹脂のような合成樹脂などの硬質材であり、射出成形により成形され、所定の剛性が確保されており、表皮に被覆されることなく、露出状態で設けられている。
【００２１】
前記上コンソール２の外縁には前記上取付部１４が設けられ、一方、前記下コンソール３の外縁には、前記上取付部１４に対応する前記下取付部２０が設けられている。
【００２２】
ここで、図２に示す上取付面１５とは、前記上取付部１４の前記下取付部２０に対向する面とし、一方、下取付面２１とは、前記下取付部２０の前記上取付部１４に対向する面とする。
【００２３】
前記表皮１２は、前述の通り、前記基材１１の外周面に接合されているが、より詳しく言えば、前記上コンソール２の外側から前記上取付部１４を通って、前記上取付面１５をすべて覆うように前記基材１１に接合されている。
【００２４】
前記上コンソール２の前記上取付部１４を、前記下コンソール３の前記下取付部２０に取付けることにより、前記上取付面１５に接合された前記表皮端部１３は、前記上取付面１５と前記下取付面２１とで挟まれて、固定される。これにより、前記表皮１２の端部である前記表皮端部１３が前記上コンソール２と前記下コンソール３に挟まれて固定されることで、前記表皮１２の剥がれを抑制している。
【００２５】
ここで、前記上コンソール２と前記下コンソール３とは、少なくとも一箇所以上にて、ねじなどの締結要素（図示せず）により互いに締結されている。
【００２６】
さらに、図２に示すように、前記下コンソール３の前記下取付面２１上には、形状が断面山状である突部２２が少なくとも一つ突設されており、一方、前記上コンソール２の前記上取付面１５には、前記突部２２に対向する位置に、前記突部２２が収容される凹部１６が凹設されている。
【００２７】
本実施例では、図４に示すように、前記突部２２は、断面山状であって細長い突条を所定間隔で並べることで形成され、前記下取付面２１上にバランス良く複数箇所に亘って並設されている。
【００２８】
又、図示されないが、前記凹部１６は、細長い溝を所定間隔で並べることで形成され、前記上取付面１５上に、各々前記突部２２に対応させて、複数箇所に亘って並設されている。
【００２９】
ここで、前記突部２２と前記凹部１６の嵌合状態をより詳しく説明する。前述した通り、前記突部２２は前記凹部１６に収容される構造とされる。詳しく言えば、図２（ｂ）に示すように、前記締結要素（図示せず）にて前記上取付部１４が前記下取付部２０に取付けられた状態において、一対の前記突部２２と前記凹部１６との間には一定の空隙が設けられており、且つその空隙は前記表皮端部１３における前記表皮１２の厚みを十分収容できる程度の大きさを有している。
【００３０】
前記凹部１６は前記上コンソール２が、前記突部２２は前記下コンソール３が、それぞれ射出成形により成形される際に、同時に成形される。従って、図２（ａ）に示すように、前記凹部１６において、前記表皮端部１３は前記凹部１６をまたぐように前記上取付面１５に接合されている。
【００３１】
次に、前記上コンソール２と前記下コンソール３の取付状態と、表皮剥がれ構造を説明する。図２（ｂ）に示すように、前記上取付部１４を前記下取付部２０に前記締結要素（図示せず）にて取付けると、前記上取付面１５に接合された前記表皮端部１３は、前記上取付面１５と前記下取付面２１とに挟まれるように固定される。又、それと同時に、前記突部２２が前記凹部１６に嵌合され、これにより、前記表皮端部１３が前記突部２２に引っかけられ、屈曲し伸長されることで、前記表皮端部１３の前記突部２２周辺に一定の張力が発生する。これにより、前記表皮端部１３において、前記表皮１２の剥がれを防止している。
【００３２】
ここで、前記突部２２と前記凹部１６の形状や大きさの好適な状態に関して説明する。
【００３３】
本実施例では、前記突部２２が断面山状の細長い突条を所定間隔で並べることで形成されている。この場合、前記基材１１に接合された前記表皮１２に加えられた何らかの局所的外力を、広範囲に亘って分散させることができる。しかし、これに限定されるものではなく、例えば前記突部２２が先端に丸みを帯びた四角錐や三角錐、及び円錐であり、図５のように、対を成す突部５１と凹部（図示せず）とが複数箇所に亘ってバランスよく点在していても良い。
【００３４】
又、前記突部２２の高さや先端の形状、前記凹部１６の溝深さなどは、前記表皮１２に対して好適な状態となるよう、任意に選定することができる。
例えば、前記表皮１２に厚手の生地が採択された場合、前記生地は破れにくいものと捉え、前記突部２２の先端をより鋭角にしたり、或いは前記突部２２の高さをより高くして、前記生地を強く引っかけたりして、前記生地の剥がれ防止効果を向上させることができる。
【００３５】
又、前記表皮１２に塩化ビニル樹脂（ＰＶＣ）が採択された場合、前記塩化ビニル樹脂は鋭いものが接すると破れやすいものと捉え、前記突部２２の先端に丸みを設けたり、或いは前記突部２２の高さを低く抑えてたりして、前記塩化ビニル樹脂が前記突部２２により損傷しにくくすることができる。
【００３６】
以上説明したように、本実施例における自動車内装品の表皮剥がれ防止構造は、表皮付材と、前記表皮付材に表皮を介して接する相手材とに、対を成す凹部と、前記凹部に収容される突部とを設けたことで、前記表皮が引っかけられるような構成とされる。
従って、ピンや孔を設けたり、再加熱処理を施すような工程を必要とせず、射出成形時に前記突部と前記凹部を同時に成形することで、加工手順を簡略化することができ、それにより生産性が向上する。
又、突部や凹部の形状に自由度があり、すなわち、突部の先端を鋭角にしたり、先端に丸みを設けたり、突部の高さと凹部の溝深さを適宜変化させることで、厚手の表皮から、破れやすい表皮に至るまで幅広い材質からなる表皮に対応することができる。
さらに、前記表皮が前記基材に接合されていることと、前記表皮が前記基材と前記相手材とで挟まれていることと、前記表皮が前記相手材に設けられた突部に引っかけられていることと、により多角的に前記表皮の剥がれを防止している。
【００３７】
次に前記カップホルダ４の前記上コンソール２への取付けに関して、図３に基づいて説明する。
【００３８】
前記カップホルダ４は、前記下コンソール３同様、ポリプロピレン樹脂やＡＢＳ樹脂のような合成樹脂などの硬質材であり、射出成形により成形され、所定の剛性が確保されており、表皮に被覆されることなく、露出状態で設けられている。
【００３９】
前記上コンソール２の前記カップホルダ４が嵌装されるための孔の周囲には、前記上取付部３４が設けられ、一方、前記カップホルダ４の外縁には、前記上取付部３４に対応する前記下取付部４０が設けられている。
【００４０】
ここで、図３に示す上取付面３５とは、前記上取付部３４の前記下取付部４０に対向する面とし、一方、下取付面４１とは、前記下取付部４０の前記上取付部３４に対向する面とする。
【００４１】
前記表皮１２は、前述の通り、前記基材１１の外周面に接合されているが、より詳しく言えば、前記上コンソール２の外側から前記上取付部３４を通って、前記上取付面３５をすべて覆うように前記基材１１に接合されている。
【００４２】
前記カップホルダ４の前記下取付部４０を前記上コンソール２の前記上取付部３４に取付けることにより、前記上取付面３５に接合された前記表皮端部３３は、前記上取付面３５と前記下取付面４１とで挟まれて、固定される。これにより、前記表皮１２の端部である前記表皮端部３３が前記上コンソール２と前記カップホルダ４に挟まれて固定されることで、前記表皮１２の剥がれを抑制している。
【００４３】
ここで、前記上コンソール２と前記カップホルダ４とは、少なくとも一箇所以上にて、ねじなどの締結要素（図示せず）により互いに締結されている。
【００４４】
さらに、図３に示すように、前記カップホルダ４の前記下取付面４１上には、形状が断面山状である突部４２が少なくとも一つ突設されており、一方、前記上コンソール２の前記上取付面３５には、前記突部４２に対向する位置に、前記突部４２が収容される前記凹部３６が凹設されている。
【００４５】
本実施例では、図４に示すものと同様に、前記突部４２は、断面山状であって細長い突条を所定間隔で並べることで形成され、前記下取付面４１上にバランス良く複数箇所に亘って並設されている。
【００４６】
又、図示されないが、前記凹部３６も同様に、細長い溝を所定間隔で並べることで形成され、前記上取付面３５上に、各々前記突部４２に対応させて、複数箇所に亘って並設されている。
【００４７】
ここで、前記突部４２と前記凹部３６の嵌合状態をより詳しく説明する。前述した通り、前記突部４２は前記凹部３６に収容される構造とされる。詳しく言えば、図３（ｂ）に示すように、前記締結要素（図示せず）にて前記上取付部３４が前記下取付部４０に取付けられた状態において、前記突部４２と前記凹部３６との間には一定の空隙が設けられており、且つその空隙は前記表皮端部３３における前記表皮１２の厚みを十分収容できる程度の大きさを有している。
【００４８】
前記凹部３６は前記上コンソール２が、前記突部４２は前記下コンソール３が、それぞれ射出成形により成形される際に、同時に成形される。従って、図３（ａ）に示すように、前記凹部３６において、前記表皮端部３３は前記凹部３６をまたぐように前記上取付面３５に接合されている。
【００４９】
次に、前記上コンソール２と前記カップホルダ４の取付状態と、表皮剥がれ構造を説明する。図３（ｂ）に示すように、前記下取付部４０を前記上取付部３４に前記締結要素（図示せず）にて取付けると、前記上取付面３５に接合された前記表皮端部３３は、前記上取付面３５と前記下取付面４１とに挟まれるように固定される。又、それと同時に、前記突部４２が前記凹部３６に嵌合され、これにより、前記表皮端部３３が前記突部４２に引っかけられ、屈曲し伸長されることで、前記表皮端部３３の前記突部４２周辺に一定の張力が発生する。これにより、前記表皮端部３３において、前記表皮１２の剥がれを防止している。
【００５０】
ここで、前記突部４２と前記凹部３６の形状や大きさの好適な状態に関して説明する。
【００５１】
本実施例でも、前述の前記上コンソール２と前記下コンソール３との取付けと同様に、様々な形状、大きさ、配置を有した突部、及び凹部を適宜用いることができる。
【００５２】
しかしながら、図１に示すように、前記上コンソール２の前記カップホルダ４周辺では、飲料用の缶やボトルなどの出し入れが頻繁に行われるため、該周辺において前記表皮１２は大きな力を頻繁に受けやすい。
従って、図３（ｂ）に示すように、前記上コンソール２の下面である前記上取付面３５に接合された前記表皮端部１３のみならず、前記上コンソール２の側面に接合された前記表皮１２も、前記上コンソール２と前記カップホルダ４とで挟まれて、固定されている。
【００５３】
これにより、前記カップホルダ４が前記上コンソール２に対して二つの面で接することで、前記表皮端部１３を含む前記表皮１２を二つの面で挟み、固定することができ、従って、大きな力を頻繁に受けたとしても、より確実に前記表皮１２の剥がれを防止することができる。
【００５４】
以上説明したように、本実施例における自動車内装品の表皮剥がれ防止構造は、表皮付材と、前記表皮付材に表皮を介して接する相手材とに、対を成す凹部と、前記凹部に収容される突部とを設けたことで、前記表皮が引っかけられるような構成とされる。
従って、ピンや孔を設けたり、再加熱処理を施すような工程を必要とせず、射出成形時に前記突部と前記凹部を同時に成形することで、加工手順を簡略化することができ、それにより生産性が向上する。
又、突部や凹部の形状に自由度があり、すなわち、突部の先端を鋭角にしたり、先端に丸みを設けたり、突部の高さと凹部の溝深さを適宜変化させることで、厚手の表皮から、破れやすい表皮に至るまで幅広い材質からなる表皮に対応することができる。
さらに、前記表皮が前記基材に接合されていることと、前記表皮が前記基材と前記相手材とで二つの面で挟まれていることと、前記表皮が前記相手材に設けられた突部に引っかけられていることと、により多角的に前記表皮の剥がれを防止することができる。
【００５５】
尚、前述した二つの実施例において、前記表皮端部１３，３３は、前記上取付面１５，３５へ接着剤などを用いて全面に亘って接合されているが、前記上取付面１５，３５、及び前記下取付面２１，４１に、前記突部２２，４２や、前記凹部１６，３６を多数設けたり、前記突部２２，４２の突設方向に変化を持たせるなどの対処をすれば、前記表皮端部１３，３３は、前記上取付面１５，３５へ全面に亘って接合されていなくても良く、部分的な接合であっても良い。又は、接合は接着剤によるものに限らず、部分的な熱融着によるものであっても良い。
【００５６】
或いは、表皮剥がれ防止の視点から言えば、前記表皮端部１３，３３は、前記上取付面１５，３５へ接着剤や熱融着などにより全面、或いは部分的に接合されている方が望ましいが、前記接合手段などにより前記上取付面１５，３５へ、全く接合されていなくても良い。前記接合が施されていなくても、前記表皮端部１３，３３は、前記突部２２,４２に引っかけられ、屈曲し伸長されることで、前記表皮端部１３，３３の前記突部２２,４２周辺に好適な張力が発生し、これが前記表皮１２の剥がれを抑制する効果を有する。
【００５７】
又、図２では、表皮付材を相手材に上から取付けることで表皮の剥がれを防止しているのに対し、図３では、相手材を表皮付材に下から取付けることで表皮の剥がれを防止している。本発明は、当然双方の場合で有効である。
【００５８】
さらにはこれに限らず、表皮付材と相手材とが接する面であって、少なくとも一対以上の突部とそれに対応する凹部とを備えた面を確保できさえすれば、その面の法線がどこを向いていても、表皮付材と相手材とのどちらが先に固定しどちらを後から取付けても、どちらでも良い。
【００５９】
又、前記実施例では、自動車内装品としてセンターコンソール１に具体化したが、その他の内装品、例えば、アームレスト、ドアトリム、及びグローブボックスなどの表皮を有する自動車内装品であれば、いかなるものにも具体化して良い。その際、上記の例で挙げられるアームレストに用いるならば、肘が最も当たる部分において、前記基材１１と前記表皮１２との間にクッション材を設けても良い。この場合、運転者などが肘をかけた時に、好適なクッション性を提供することができる。
【図面の簡単な説明】
【００６０】
【図１】本発明の一実施形態に係る表皮剥がれ防止構造が適用されるセンターコンソールの配置状態を示す斜視図である。
【図２】本発明の一実施形態に係る表皮剥がれ防止構造を示す断面図である。
【図３】本発明の一実施形態に係る他の表皮剥がれ防止構造を示す断面図である。
【図４】突部の形状と配置状態を示す斜視図である。
【図５】他の突部の形状と配置状態を示す斜視図である。
【符号の説明】
【００６１】
１  センターコンソール
２  上コンソール（表皮付材）
３  下コンソール（相手材）
４  カップホルダ（相手材）
１１  基材
１２  表皮
１３，３３  表皮端部
１４，３４  上取付部
１５，３５  上取付面
１６，３６  凹部
２０，４０  下取付部
２１，４１  下取付面
２２，４２  突部
【図１】
2006123622.tif 000003
【図２】
2006123622.tif 000004
【図３】
2006123622.tif 000005
【図４】
2006123622.tif 000006
【図５】
2006123622.tif 000007